(57)【要約】【課題】  広範なサイズの鉄塔アングルに対応して装着できる回線標識体を提供すること。【解決手段】  鉄塔アングル１７の両辺１８に、それぞれ辺１８を挟持するように装着される同一形状の一対の係着部材５と、係着部材５の長手方向両端部で該長手方向に直交する方向に多段に打ち出される傾斜案内面１０が形成される各係合部１１において、両下端の要所に内面に向けて曲げ上げた係合爪１６を係合し、前記両係着部材５に跨設される鋭角山形状の接合部材９とで回線標識体Ａを構成する。【選択図】  図１
2005204433.tif 000002
【特許請求の範囲】
【請求項１】
U字状の折曲部を介して所要間隔に表面板と裏面板を対向配設した所要長さの一対の係着部材と、鉄塔アングルの両辺の下端から表面板を外面に向けて装着される両係着部材の表面板上に該鉄塔アングルの隅角部から跨設され、折曲頂部に開拡方向に抗する弾発力付勢部を設けた鋭角山形状の接合部材とから成り、
前記係着部材には表面板の長手方向両端部に、折曲部に向けて降下する所要幅の傾斜案内面を多段に打ち出した係合部を配設し、裏面板に所要数の突起を外面に向けて突設し、
前記接合部材には両下端部の前記係着部材の係合部に対応する部位に、それぞれ内面に向けて鋭角状に曲げ上げた係合爪を配設して成る回線標識体。
【請求項２】
各係合爪の長手方向の両側に接合部材の下端部から折曲頂部方向に所要長さのスリットを配設して成り、両スリット間の独立変形舌片の下端に該係合爪が配設されることを特徴とする請求項１記載の回線標識体。
【発明の詳細な説明】
【技術分野】
【０００１】
本発明は、高圧送電線の送電鉄塔の鉄塔アングルに装着されて回線指定色や線路名或は標語などを表示する回線標識体に関する。
【背景技術】
【０００２】
本出願人は、先に鉄塔アングルに装着して高圧送電線の回線誤認防止に使用される回線誤認防止標識を特許第３３８３７８９号（先行技術とする。）として取得済みであるが、該先行技術は図７に示すように、下部パーツ４と上部パーツ５から成り、両者で鉄塔アングル３を挟むようにして一方に設けたボス６と他方のボス穴７との係合により鉄塔アングル３に取り付け固定される。
前記下部パーツ４のボス６とボス６に係合する上部パーツ５のボス穴７は特定の鉄塔アングル３を対象として使用されるものであるため、サイズの異なる鉄塔アングルには転用できないものであった。
【特許文献１】特許第３３８３７８９号
【発明の開示】
【発明が解決しようとする課題】
【０００３】
そこで本発明は広範なサイズの鉄塔アングルに対応して装着できる回線標識体を提供するものである。
【課題を解決するための手段】
【０００４】
本発明の請求項１に記載した回線標識体は、Ｕ字状の折曲部を介して所要間隔に表面板と裏面板を対向配設した所要長さの一対の係着部材と、鉄塔アングルの両辺の下端から表面板を外面に向けて装着される両係着部材の表面板上に該鉄塔アングルの隅角部から跨設され、折曲頂部に拡開方向に抗する弾発力付勢部を設けた鋭角山形状の接合部材とから成り、
前記係着部材には表面板の長手方向両端部に、折曲部に向けて降下する所要幅の傾斜案内面を多段に打ち出した係合部を配設し、裏面板に所要数の突起を外面に向けて突設し、
前記接合部材には両下端部の前記係着部材の係合部に対応する部位に、それぞれ内面に向けて鋭角状に曲げ上げた係合爪を配設して成る。
請求項２に記載した回線標識体は、請求項１に記載された回線標識体において、各係合爪の長手方向の前後に接合部材の下端から折曲頂部方向に所要長さのスリットが配設され、各係合爪は両スリット間の独立変形舌片の下端に配設されて成るものである。
【発明の効果】
【０００５】
本発明は、鉄塔アングルの両辺に係着する一対の同形状係着部材と両係着部材に跨設される接合部材とから成り、接合部材の両下端部に設けられる係合爪は、係着部材の係合部を形成する多段の傾斜案内面に係合するから、鉄塔アングルの辺の長短に対応できるとともに、接合部材の押し込みだけで係着部材と接合部材とを鉄塔アングルに取り付けできるから、その取り付け作業も極めて簡易化される効果がある。
【発明を実施するための最良の形態】
【０００６】
係着部材におけるＵ字状の折曲部はその内径が対象とする鉄塔アングルの辺を挿入するに足る寸法、或は係合部の高さ（表面板の内面に係合部を形成する場合）を加味した寸法で形成され、そのため表面板と裏面板間には絞り部を形成して辺の肉厚の薄いものにもしっかり係着できるようにすることであり、また、係合部とは表面板の外面に傾斜案内面を多段に打ち出してその傾斜案内面の下端を接合部材の係合爪に対応させるものから、表面板の内面に傾斜案内面を多段に打ち出し、表面板における該傾斜案内面の打ち抜き端を接合部材の係合爪に対応させるものも提案され得る。
【実施例】
【０００７】
本発明を実施例により説明すると、回線標識体Aは図１に示すように、ステンレス鋼板製の一対の同一形状の係着部材５と山形状の係合部材９とから成っている。係着部材５は、Ｕ字状に折曲した折曲部１を介して背の高い表面板２とそれより背の低い裏面板３とを所要間隔に対向させ、一部にその対向間隔を狭めた絞り部４を配した所要長さの一対の係着部材であって、係着部材５の一方をその長さ方向を反転して相互に対称状態で使用する。係合部材９は、ステンレス鋼板製で両係着部材５の表面板２上に跨設され、鋭角山形状に折曲された両被覆板６の折曲頂部７に弾発力付勢部８を内在させている。係着部材５はさらに、表面板２の長手方向両端部に長手方向に直交して折曲部１へ向けて降下する所要幅所要高さの傾斜案内面１０を多段に外面へ打ち出した係合部１１を配設し、裏面板３に滑り止め用として円錐状の突起１２を外面へ向けて突設している。接合部材９の両被覆板６は、係着部材５の係合部１１に対応する部位に、係合部１１を包蔵する高さと幅の凸部１３を縦設し、各凸部１３の長さ方向の両側縁に小幅のスリット１４を下端部から折曲頂部７に向けて配設し、両スリット１４、１４間に形成された独立変形舌片１５の下端に被覆板６の内面へ向けて鋭角状に曲げ上げた係合爪１６を配設して成る。
【０００８】
このようにして成る回線標識体Aは図２に示すように、鉄塔アングル１７の各辺１８に係着部材５が表面板２を外面に向けて嵌着され、その状態で接合部材９の両被覆板６が両係着部材５の表面板２上に跨設される。その際に鋭角山形状に形成された折曲頂部７の弾発力付勢部８を押し込むと、両被覆板６は弾発力付勢部８の弾発力に抗して形成角度が拡開されるとともに、係合爪１６は独立変形舌片１５の変形を伴って対応する係合部１１の傾斜案内面１０に案内されて表面板２上で滑り落とされ、遂には接合部材９の折曲頂部７が鉄塔アングル１７の頂部に近接するところで押圧力を解放すると、弾発力付勢部８の締め付け力によって接合部材９は両表面板２上で浮き上がり、そのとき、独立変形舌片１５の弾発力とも協動して係合爪１６は係合部１１の傾斜案内面１０の下端に歯合して回線標識体Aは鉄塔アングル１７に取り付けられる。
なお、係合部１１と係合爪１６の歯合に図５に示すように、係着部材５の表面板２の内面に向けて傾斜案内面１０を打ち出し、その表面板２の打ち出し端を係合部１１としてこの係合部１１に係合爪１６を歯合することもできる。その構造の場合には、接合部材９の両被覆板６の外面に凸部１３がなくて外見上はスマートに見えるが、鉄塔アングル１７の辺１８の表面と係着部材５の表面板２の裏面間に傾斜案内面１０の打ち出し高さに見合う空間が生じるため、保守点検作業時に踏みつけることがあれば、空間のゆるみが足元を不安定にするおそれがある。このほか、係合部１１からの係合爪１６の脱却を容易にする手段のひとつは図６に示すように、係合爪１６の先端に先細り状の勾配面１９を形成すれば、接合部材９を係着部材５から外すときに接合部材９をその係合爪１６を係合部１１から外す方向へ押し込みつつ、長手方向へスライドさせるように力をかければ、係合爪１６の匂配面１９の働きで係合爪１６は踏み上がり外れ易くなる。
【０００９】
回線標識体Ａは図４に示すように、送電鉄塔２０の鉄塔アングル１７に、例えば送電鉄塔２０の右側を黄色に左側を赤色として電線回路別に色分けして適宜数個取り付けられる。
【産業上の利用可能性】
【００１０】
本発明は、高圧送電線の保守管理において、鉄塔アングルへの取り付け作業の簡易化と安全性の向上と、簡易構造による量産化に伴う生産性の向上の点で電力関連業界に貢献できる。
【図面の簡単な説明】
【００１１】
【図１】本発明の回線標識体Ａの分解斜視図。
【図２】回線標識体Ａを鉄塔アングル１７に取り付けた状態の断面図。
【図３】係合部１１と係合爪１６の歯合状態の部分拡大説明図。
【図４】回線標識体Ａの使用状態の概略説明図。
【図５】係合部１１を表面板２の内面に形成する場合の説明図。
【図６】係合爪１６の端部形状の説明図。
【図７】先行技術の回線誤認防止標識の説明図。
【符号の説明】
【００１２】
１：折曲部
２：表面板
３：裏面板
４：絞り部
５：係着部材
６：被覆板
７：折曲頂部
８：弾発力付勢部
９：接合部材
１０：傾斜案内面
１１：係合部
１２：突起
１３：凸部
１４：スリット
１５：独立変形舌片
１６：係合爪
１７：鉄塔アングル
１８：辺
１９：匂配面
２０：送電鉄塔
Ａ：回線標識体
【図１】
2005204433.tif 000003
【図２】
2005204433.tif 000004
【図３】
2005204433.tif 000005
【図４】
2005204433.tif 000006
【図５】
2005204433.tif 000007
【図６】
2005204433.tif 000008
【図７】
2005204433.tif 000009